(57)【要約】      （修正有）【解決手段】複数布地パターンデータ１１３が記憶されているデータ発行側１１と、丸編機にデータ発行側と通信可能に接続される制御対象端末１２とを含む。各布地パターンデータは複数織機動作フラグとそのうちの１つの織機動作フラグに対応する複数設定パラメータ値とを有し、制御対象端末の織機動作設定データはこれらの織機動作フラグとそのうちの１つの織機動作フラグにそれぞれ対応する複数動作パラメータ値とを含み、制御対象端末はデータ発行側からそのうちの１つの布地パターンデータを受信し布地パターンデータのうち各織機動作フラグに対応する設定パラメータ値を織機動作設定データのうち各織機動作フラグに対応する動作パラメータ値としてマップする。【効果】丸編機上の制御対象端末が布地パターンデータを受け取るとフォーマット変換を行うことなく丸編機による新規な布地パターンの編成に関し自動校正を完了させることができる。【選択図】図２
2020172724.tif 000002
【特許請求の範囲】
【請求項１】
データ記憶ユニットと、前記データ記憶ユニットと通信可能に接続される第１の通信モジュールとを含み、前記データ記憶ユニットは、前記第１の通信モジュールによりそれぞれ発行される複数の布地パターンデータを含み、各前記布地パターンデータは、複数の織機動作フラグと、そのうちの１つの前記織機動作フラグにそれぞれ対応する複数の設定パラメータ値とを有する、データ発行側と、
丸編機に設けられ、前記第１の通信モジュールと通信可能に接続されてそのうちの１つの前記布地パターンデータを受信する第２の通信モジュールと、前記第２の通信モジュールに接続される動作管理モジュールとを含み、前記動作管理モジュールは、織機動作設定データを有し、前記織機動作設定データは、これらの織機動作フラグと、そのうちの１つの前記織機動作フラグにそれぞれ対応する複数の動作パラメータ値とを有し、前記動作管理モジュールは、前記第２の通信モジュールから前記布地パターンデータを受信し、前記布地パターンデータのうち各前記織機動作フラグに対応する前記設定パラメータ値を前記織機動作設定データのうち各前記織機動作フラグに対応する前記動作パラメータ値としてマップし、前記動作管理モジュールは、前記動作パラメータ値により前記丸編機に設けられる複数の部品を制御して布地の編成を行う、少なくとも１つの制御対象端末とを含むことを特徴とする丸編機の自動校正用の布地パターンデータ発行システム。
【請求項２】
前記設定パラメータ値及び前記動作パラメータ値が、それぞれデジタルだけを表す文字コードであることを特徴とする請求項１に記載の丸編機の自動校正用の布地パターンデータ発行システム。
【請求項３】
これらの織機動作フラグが、巻取張力、給糸長さ、上シリンダ度目調整、下シリンダ度目調整、編成タイミング調整、給糸方向、噴油時間、織機清掃速度、寸動速度、動作時間、織機起動から所定の回転数に達するまでの経過時間及び織機の動作停止に要する時間からなる群からそれぞれ選ばれる１種であることを特徴とする請求項１または２に記載の丸編機の自動校正用の布地パターンデータ発行システム。
【請求項４】
前記データ発行側が、クラウドデータベース、サーバまたはパソコンであることを特徴とする請求項１または２に記載の丸編機の自動校正用の布地パターンデータ発行システム。
【請求項５】
前記第１の通信モジュールと前記第２の通信モジュールは、ネットワーク、ブルートゥース通信または近距離無線通信により通信可能に接続されることを特徴とする請求項１または２に記載の丸編機の自動校正用の布地パターンデータ発行システム。
【請求項６】
前記丸編機に設けられるこれらの部品が、前記動作管理モジュールにそれぞれ接続される複数のモータであることを特徴とする請求項１または２に記載の丸編機の自動校正用の布地パターンデータ発行システム。
【請求項７】
これらのモータが、ステッピングモータ、サーボモータ、ＤＣブラシレスモータ、ＤＣブラシモータ及び可変周波数モータからなる群からそれぞれ選ばれる１種であることを特徴とする請求項６に記載の丸編機の自動校正用の布地パターンデータ発行システム。
【発明の詳細な説明】
【技術分野】
【０００１】
本発明は、布地パターンデータ発行システムに関し、より詳しくは、丸編機による自動校正を実現するための布地パターンデータ発行システムに関する。
【背景技術】
【０００２】
自動制御は世に出て久しい概念であるが、今日においても、丸編機を用いて新規なパターンで編成する際には、人力による作業で各丸編機に対し１台ずつ設定する必要がある。そのため、校正対象の丸編機が多い場合、新規なパターンの布地の編成プロセスを延長せざるを得なくなる。また、設定には一定の時間がかかるだけでなく、人力で校正を行う場合、その設定値は人によって差があるため、その後の校正や検証が難しくなるのが現状である。
【０００３】
また、丸編機の自動制御に関しては、例えば、特許文献１〜特許文献３に開示されている遠隔トラブル解消や自動微調整等の提案がなされているものの、これらの特許は、いずれも編成の初期設定に着眼するものではなく、編成過程における微調整やトラブル解消を目指してなされたものが殆どである。
【先行技術文献】
【特許文献】
【０００４】
【特許文献１】米国特許登録第６３３８００２号明細書
【特許文献２】米国特許登録第６３０１９３８号明細書
【特許文献３】特開２０００−２５６９４９号明細書
【発明の概要】
【発明が解決しようとする課題】
【０００５】
本発明は、従来の丸編機に自動校正が実現できないという問題を解決することを目的とする。
【課題を解決するための手段】
【０００６】
本発明は、上記目的を達成するためになされたものであり、丸編機の自動校正用の布地パターンデータ発行システムを提供する。当該システムは、データ発行側と、少なくとも１つの制御対象端末とからなる。当該データ発行側は、データ記憶ユニットと、当該データ記憶ユニットと通信可能に接続される第１の通信モジュールとを含み、当該データ記憶ユニットは、当該第１の通信モジュールによりそれぞれ発行される複数の布地パターンデータを含み、各当該布地パターンデータは、複数の織機動作フラグと、そのうちの１つの当該織機動作フラグにそれぞれ対応する複数の設定パラメータ値とを有する。当該制御対象端末は、丸編機に設けられ、当該第１の通信モジュールと通信可能に接続されてそのうちの１つの当該布地パターンデータを受信する第２の通信モジュールと、当該第２の通信モジュールに接続される動作管理モジュールとを含み、当該動作管理モジュールは、織機動作設定データを有し、当該織機動作設定データは、これらの織機動作フラグと、そのうちの１つの当該織機動作フラグにそれぞれ対応する複数の動作パラメータ値とを有し、当該動作管理モジュールは、当該第２の通信モジュールから当該布地パターンデータを受信し、当該布地パターンデータのうち各当該織機動作フラグに対応する当該設定パラメータ値を当該織機動作設定データのうち各当該織機動作フラグに対応する当該動作パラメータ値としてマップし、当該動作管理モジュールは、当該動作パラメータ値により当該丸編機に設けられる複数の部品を制御して布地の編成を行う。
【０００７】
本発明に係る布地パターンデータ発行システムの一実施形態において、当該設定パラメータ値及び当該動作パラメータ値は、それぞれデジタルだけを表す文字コードである。
【０００８】
本発明に係る布地パターンデータ発行システムの一実施形態において、これらの織機動作フラグは、巻取張力、給糸長さ、上シリンダ度目調整、下シリンダ度目調整、編成タイミング調整、給糸方向、噴油時間、織機清掃速度、寸動速度、動作時間、織機起動から所定の回転数に達するまでの経過時間及び織機の動作停止に要する時間からなる群からそれぞれ選ばれる１種である。
【０００９】
本発明に係る布地パターンデータ発行システムの一実施形態において、当該データ発行側は、クラウドデータベース、サーバまたはパソコンである。
【００１０】
本発明に係る布地パターンデータ発行システムの一実施形態において、当該第１の通信モジュールと当該第２の通信モジュールは、ネットワーク、ブルートゥース（登録商標）通信または近距離無線通信により通信可能に接続される。
【００１１】
本発明に係る布地パターンデータ発行システムの一実施形態において、当該丸編機に設けられるこれらの部品は、当該動作管理モジュールにそれぞれ接続される複数のモータである。
【００１２】
本発明に係る布地パターンデータ発行システムの一実施形態において、これらのモータは、ステッピングモータ、サーボモータ、ＤＣブラシレスモータ及びＤＣブラシモータからなる群からそれぞれ選ばれる１種である。
【発明の効果】
【００１３】
上述したように本発明を実施することにより、従来技術と比べると以下の利点を得ることができる。本発明に係る布地パターンデータ発行システムは、標準化された布地パターンデータを用いるため、丸編機上の当該制御対象端末が布地パターンデータを受け取ると、フォーマット変換を行うことなく、丸編機による新規な布地パターンの編成に関し自動校正を完了させることができる。
【図面の簡単な説明】
【００１４】
【図１】本発明に係る布地パターンデータ発行システムの一実施形態の構成を概略的に示す図である。
【図２】本発明に係る布地パターンデータ発行システムの一実施形態のユニット構成を概略的に示す図である。
【発明を実施するための形態】
【００１５】
以下、本発明の技術内容を、図面を参照して詳細に説明する。
【００１６】
図１及び図２に示されるように、本発明は、丸編機の自動校正用の布地パターンデータ発行システムを提供する。当該布地パターンデータ発行システムは、データ発行側１１と、少なくとも１つの制御対象端末１２とからなる。データ発行側１１は、布地パターンデザイナ、織機メーカーまたは紡織業者によって設置されてもよい。データ発行側１１は実質的に電子計算装置で、クラウドデータベース、サーバまたはパソコン等であってもよい。本発明に係る布地パターンデータ発行システムにおいて、いわゆるデータ発行側１１は、データ記憶ユニット１１１と、データ記憶ユニット１１１と通信可能に接続される第１の通信モジュール１１２とを含む。データ記憶ユニット１１１は当該電子計算装置上の揮発性メモリ、不揮発性メモリ、ハードディスクまたはソリッドステートドライブ等のデジタルデータを記憶可能な装置であってもよい。本発明に係る布地パターンデータ発行システムにおいて、従来のデジタルデータ書き込みの方式によりデータ記憶ユニット１１１に複数の布地パターンデータ１１３を記憶する。各布地パターンデータ１１３は複数の織機動作フラグと、そのうちの１つの当該織機動作フラグにそれぞれ対応する複数の設定パラメータ値とを有する。また、これらの織機動作フラグは、巻取張力、給糸長さ、上シリンダ度目調整、下シリンダ度目調整、編成タイミング調整、給糸方向、噴油時間、織機清掃速度、寸動速度、動作時間、織機起動から所定の回転数に達するまでの経過時間及び織機の動作停止に要する時間からなる群からそれぞれ選ばれる１種である。当該設定パラメータ値は、デジタルだけを表す文字コードであり、例えば、デジタルを表すＡＳＣＩＩコードである。また、第１の通信モジュール１１２は、実際のニーズに応じて、ネットワーク、ブルートゥース通信または近距離無線通信（ＮＦＣ）より実施することができる。
【００１７】
図２に示されるように、本発明に係る布地パターンデータ発行システムにおいて、制御対象端末１２は、実質的に丸編機２０に設けられる電子端末機器である。当該電子端末機器は、丸編機２０上の複数の部品２１を制御するものとして機能し、編機制御装置であってもよい。これらの部品２１は複数の動作モジュールまたは丸編機２０に設けられる複数のモータであってもよく、これらのモータは、ステッピングモータ、サーボモータ、ＤＣブラシレスモータ、ＤＣブラシモータ及び可変周波数モータからなる群からそれぞれ選ばれる１種である。また、いわゆるこれらの動作モジュールは複数の部品から構成されるものである。これらの動作モジュールはそれぞれ巻取制御モジュール、給糸モジュール、編成タイミング調整機構または度目制御モジュール等であってもよいが、動作モジュールはこれらのタイプに限定されるものではない。これにより、本発明に係る布地パターンデータ発行システムにおいて、制御対象端末１２は、第２の通信モジュール１２１と、第２の通信モジュール１２１に接続される動作管理モジュール１２２とを含む。第２の通信モジュール１２１は、実際のニーズに応じて、当該ネットワーク、当該ブルートゥース通信または当該近距離無線通信（ＮＦＣ）により実施することができる。第２の通信モジュール１２１は第１の通信モジュール１１２と同一の通信プロトコルを用いて実施する。すなわち、第２の通信モジュール１２１が当該ネットワークにより実施して通信を行う時、第１の通信モジュール１１２も当該ネットワークにより実施し通信を行う。また、動作管理モジュール１２２は第２の通信モジュール１２１に接続される他に、これらの部品２１にも接続されてこれらの部品２１に対し動作コマンドを出力する。さらに、動作管理モジュール１２２は織機動作設定データをさらに有し、当該織機動作設定データは、これらの織機動作フラグと、そのうちの１つの当該織機動作フラグにそれぞれ対応する複数の動作パラメータ値とを含む。当該動作パラメータ値はデジタルだけを表す文字コードである。また、当該織機動作設定データは動作管理モジュール１２２に含まれる記憶部品に記憶される。当該記憶部品は揮発性メモリ、不揮発性メモリ、ハードディスクまたはソリッドステートドライブ等のデジタルデータを記憶可能な部品である。本発明に係る布地パターンデータ発行システムにおいて、布地パターンデータ１１３及び当該織機動作設定データは同一のコードにより実施する。
【００１８】
そして、本発明に係る布地パターンデータ発行システムにおいて、制御対象端末１２はデータ発行側１１と通信を行い、データ発行側１１は第１の通信モジュール１１２により制御対象端末１２に対しそのうちの１つの布地パターンデータ１１３を送信し、制御対象端末１２は第２の通信モジュール１２１によりデータ発行側１１の送信した布地パターンデータ１１３を受信し、第２の通信モジュール１２１が布地パターンデータ１１３を動作管理モジュール１２２に伝送すると、動作管理モジュール１２２は布地パターンデータ１１３を読み込み、コード変換を一切行うことなく、布地パターンデータ１１３のうち各当該織機動作フラグに対応する当該設定パラメータ値をそのまま当該織機動作設定データのうち各当該織機動作フラグに対応する当該動作パラメータ値としてマップする。例えば、布地パターンデータ１１３のうちの当該給糸長さであるそのうちの１つの当該織機動作フラグの当該設定パラメータ値は、そのまま当該織機動作設定データのうちの当該給糸長さであるそのうちの１つの当該織機動作フラグの当該動作パラメータ値に取って代わる。これにより、動作管理モジュール１２２はこれらの動作パラメータ値により丸編機２０のこれらの部品２１を制御して布地の編成を行う。
【００１９】
以上より分かるように、本発明に係る布地パターンデータ発行システムにより、自動校正がまだ実現していない丸編機において、自動校正が可能になり、関係業者により各丸編機に対しそれぞれ校正作業を行う必要がないため、新規な布地パターンで編成する際、必要な作業時間を短縮することができる。
【図１】
2020172724.tif 000003
【図２】
2020172724.tif 000004
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
データ記憶ユニットと、前記データ記憶ユニットと通信可能に接続される第１の通信モジュールとを含み、前記データ記憶ユニットは、前記第１の通信モジュールによりそれぞれ発行される複数の布地パターンデータを含み、各前記布地パターンデータは、複数の丸編機動作フラグと、そのうちの１つの前記丸編機動作フラグにそれぞれ対応する複数の設定パラメータ値とを有する、データ発行側と、
丸編機に設けられ、前記第１の通信モジュールと通信可能に接続されてそのうちの１つの前記布地パターンデータを受信する第２の通信モジュールと、前記第２の通信モジュールに接続される動作管理モジュールとを含み、前記動作管理モジュールは、丸編機動作設定データを有し、前記丸編機動作設定データは、これらの丸編機動作フラグと、そのうちの１つの前記丸編機動作フラグにそれぞれ対応する複数の動作パラメータ値とを有し、前記動作管理モジュールは、前記第２の通信モジュールから前記布地パターンデータを受信し、前記布地パターンデータのうち各前記丸編機動作フラグに対応する前記設定パラメータ値を前記丸編機動作設定データのうち各前記丸編機動作フラグに対応する前記動作パラメータ値としてマップし、前記動作管理モジュールは、前記動作パラメータ値により前記丸編機に設けられる複数の部品を制御して布地の編成を行う、少なくとも１つの制御対象端末とを含むことを特徴とする丸編機の自動校正用の布地パターンデータ発行システム。
【請求項２】
前記設定パラメータ値及び前記動作パラメータ値が、それぞれデジタルで表す文字コードであることを特徴とする請求項１に記載の丸編機の自動校正用の布地パターンデータ発行システム。
【請求項３】
これらの丸編機動作フラグが、巻取張力、給糸長さ、上シリンダ度目調整、下シリンダ度目調整、編成タイミング調整、給糸方向、噴油時間、丸編機清掃速度、寸動速度、動作時間、丸編機起動から所定の回転数に達するまでの経過時間及び丸編機の動作停止に要する時間からなる群からそれぞれ選ばれる１種であることを特徴とする請求項１または２に記載の丸編機の自動校正用の布地パターンデータ発行システム。
【請求項４】
前記データ発行側が、クラウドデータベース、サーバまたはパソコンであることを特徴とする請求項１または２に記載の丸編機の自動校正用の布地パターンデータ発行システム。
【請求項５】
前記第１の通信モジュールと前記第２の通信モジュールは、ネットワーク、ブルートゥース（登録商標）通信または近距離無線通信により通信可能に接続されることを特徴とする請求項１または２に記載の丸編機の自動校正用の布地パターンデータ発行システム。
【請求項６】
前記丸編機に設けられるこれらの部品が、前記動作管理モジュールにそれぞれ接続される複数のモータであることを特徴とする請求項１または２に記載の丸編機の自動校正用の布地パターンデータ発行システム。
【請求項７】
これらのモータが、ステッピングモータ、サーボモータ、ＤＣブラシレスモータ、ＤＣブラシモータ及び可変周波数モータからなる群からそれぞれ選ばれる１種であることを特徴とする請求項６に記載の丸編機の自動校正用の布地パターンデータ発行システム。
【手続補正２】
【補正対象書類名】明細書
【補正対象項目名】００１６
【補正方法】変更
【補正の内容】
【００１６】
図１及び図２に示されるように、本発明は、丸編機の自動校正用の布地パターンデータ発行システムを提供する。当該布地パターンデータ発行システムは、データ発行側１１と、少なくとも１つの制御対象端末１２とからなる。データ発行側１１は、布地パターンデザイナ、織機メーカーまたは紡織業者によって設置されてもよい。データ発行側１１は実質的に電子計算装置で、クラウドデータベース、サーバまたはパソコン等であってもよい。本発明に係る布地パターンデータ発行システムにおいて、いわゆるデータ発行側１１は、データ記憶ユニット１１１と、データ記憶ユニット１１１と通信可能に接続される第１の通信モジュール１１２とを含む。データ記憶ユニット１１１は当該電子計算装置上の揮発性メモリ、不揮発性メモリ、ハードディスクまたはソリッドステートドライブ等のデジタルデータを記憶可能な装置であってもよい。本発明に係る布地パターンデータ発行システムにおいて、従来のデジタルデータ書き込みの方式によりデータ記憶ユニット１１１に複数の布地パターンデータ１１３を記憶する。各布地パターンデータ１１３は複数の織機動作フラグと、そのうちの１つの当該織機動作フラグにそれぞれ対応する複数の設定パラメータ値とを有する。また、これらの織機動作フラグは、巻取張力、給糸長さ、上シリンダ度目調整、下シリンダ度目調整、編成タイミング調整、給糸方向、噴油時間、織機清掃速度、寸動速度、動作時間、織機起動から所定の回転数に達するまでの経過時間及び織機の動作停止に要する時間からなる群からそれぞれ選ばれる１種である。当該設定パラメータ値は、デジタルだけを表す文字コードであり、例えば、デジタルを表すＡＳＣＩＩコードである。また、第１の通信モジュール１１２は、実際のニーズに応じて、ネットワーク、ブルートゥース（登録商標）通信または近距離無線通信（ＮＦＣ）より実施することができる。
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
データ記憶ユニットと、前記データ記憶ユニットと通信可能に接続される第１の通信モジュールとを含み、前記データ記憶ユニットは、前記第１の通信モジュールによりそれぞれ発行される複数の布地パターンデータを含み、各前記布地パターンデータは、複数の丸編機動作フラグと、そのうちの１つの前記丸編機動作フラグにそれぞれ対応する複数の設定パラメータ値とを有し、前記丸編機動作フラグが、給糸長さ、上シリンダ度目調整、下シリンダ度目調整、編成タイミング調整、動作時間、丸編機起動から所定の回転数に達するまでの経過時間及び丸編機の動作停止に要する時間からなる群から選ばれる１種であり、前記設定パラメータ値がデジタルで表す文字コードである、データ発行側と、
丸編機に設けられ、前記第１の通信モジュールと通信可能に接続されてそのうちの１つの前記布地パターンデータを受信する第２の通信モジュールと、前記第２の通信モジュール及び前記丸編機における複数の部品に接続される動作管理モジュールとを含み、前記動作管理モジュールは、丸編機動作設定データを有し、前記丸編機動作設定データは、複数の丸編機動作フラグと、そのうちの１つの前記丸編機動作フラグにそれぞれ対応する複数の動作パラメータ値とを有し、前記動作パラメータ値がデジタルで表す文字コードである少なくとも１つの制御対象端末と、を含み、
前記布地パターンデータと前記丸編機動作設定データは同一のコードを採用し、前記動作管理モジュールは、前記第２の通信モジュールから前記布地パターンデータを受信する時、コード変換を一切行うことなく、前記布地パターンデータのうち各前記丸編機動作フラグに対応する前記設定パラメータ値をそのまま前記丸編機動作設定データのうち各前記丸編機動作フラグに対応する前記動作パラメータ値に対応させ、前記動作管理モジュールは、前記動作パラメータ値により前記丸編機に設けられる複数の部品を制御して布地の編成を行うことを特徴とする丸編機の自動校正用の布地パターンデータ発行システム。
【請求項２】
前記丸編機動作フラグが、さらに、巻取張力、給糸方向、噴油時間、丸編機清掃速度、及び寸動速度からなる群から選ばれる１種であることを特徴とする請求項１に記載の丸編機の自動校正用の布地パターンデータ発行システム。
【請求項３】
前記データ発行側が、クラウドデータベース、サーバまたはパソコンであることを特徴とする請求項１に記載の丸編機の自動校正用の布地パターンデータ発行システム。
【請求項４】
前記第１の通信モジュールと前記第２の通信モジュールは、ネットワーク、ブルートゥース（登録商標）通信または近距離無線通信により通信可能に接続されることを特徴とする請求項１に記載の丸編機の自動校正用の布地パターンデータ発行システム。
【請求項５】
前記丸編機に設けられるこれらの部品が、前記動作管理モジュールにそれぞれ接続される複数のモータであることを特徴とする請求項１に記載の丸編機の自動校正用の布地パターンデータ発行システム。
【請求項６】
前記モータが、ステッピングモータ、サーボモータ、ＤＣブラシレスモータ、ＤＣブラシモータ及び可変周波数モータからなる群からそれぞれ選ばれる１種であることを特徴とする請求項５に記載の丸編機の自動校正用の布地パターンデータ発行システム。